(57)【要約】【課題】漏電遮断器を構成する開閉装置の自己診断に関して、電源線を両切りする２つの接点を同時に作動させると、一方のみの溶着故障が発見できないという課題があった。【解決手段】本発明の漏電遮断装置は、商用電源の各相を独立して開閉できる開閉装置と、商用電源の電圧検出装置と、表示装置とを備え、商用電源を供給開始する前に、前記開閉装置の故障検出を行い、前記電圧検出装置は、電源の各相ごとにそれぞれ交流電圧の有無を検出することで前記開閉装置の異常を判断し、異常判定時には前記表示装置で表示して警告する手段を備えたものである。【選択図】図１
2012152071.tif 000002
【特許請求の範囲】
【請求項１】
商用電源の各相を独立して開閉できる開閉装置と、商用電源の電圧検出装置と、表示装置とを備え、商用電源を供給開始する前に、前記開閉装置の故障検出を行い、前記電圧検出装置は、電源の各相ごとにそれぞれ交流電圧の有無を検出することで前記開閉装置の異常を判断し、異常判定時には前記表示装置で表示して警告する構成とした漏電遮断装置。
【請求項２】
開閉装置の故障検出のための電圧検出装置は、作動開始後所定時間経過後に電圧検出を行なう構成とした請求項１に記載の漏電遮断装置。
【請求項３】
商用電源供給終了時に、開閉装置の故障検出を行う構成とした請求項１または請求項２に記載の漏電遮断装置。
【発明の詳細な説明】
【技術分野】
【０００１】
本発明は、商用電源と機器間を接続する電源供給装置に組み込まれる漏電遮断機の安全機能に関し、商用電源の供給を開閉する開閉器の故障を検出する手段に関するものである。
【背景技術】
【０００２】
従来、この種の漏電遮断装置は、開閉装置の故障を検出する電圧検出装置を備え、開閉装置がＯＦＦの時に交流電圧を検出した時には、開閉装置の異常（接点溶着）と判断し、電源供給動作を停止させる制御を行なうようにしていた。
（例えば、特許文献１参照）
図２は、特許文献１に記載された従来の漏電遮断装置の概略構成図を示すもので、以下のような動作を行う。
【０００３】
図２において、商用電源１からの電源線を零相変流器６に通し、電流不平衡時（すなわち漏電発生時）は零相変流器６のコイルに発生する電圧を漏電検出回路７にて検出し、制御装置４にてリレー２をオフさせて、電源供給先である機器３への電力供給を止める、という動作を行なうことで、漏電時には機器３に通電を停止して感電の危険を防止している。なお、リレー２は電源線の両側にそれぞれ接点を設けて両切りの構成となっているが、２つの接点は同時に作動する構成となっている。
【０００４】
本装置はリレー２の故障を検出するために自己診断を行うようになっており、リレー２がオフの状態で、電圧検出部６で交流電圧を検出し、もし交流電圧を検出すれば、リレー２の溶着故障と判断して、電源供給先である機器３への電力供給を止めるようになっている。
【先行技術文献】
【特許文献】
【０００５】
【特許文献１】特開２００８−３１２３８０号公報
【発明の概要】
【発明が解決しようとする課題】
【０００６】
しかしながら、前記従来の構成では、交流の電源線を両切りしているリレーの接点が同時に動作するため、片側のリレー接点のみが溶着していても、もう一方のリレー接点が正常であれば、リレーがＯＦＦの時に電圧検出部に交流電圧は生じないので、リレー接点の一方だけの溶着故障を検出する事が出来ない、という課題があった。
【０００７】
また、異常発生時に動作しなくなった場合の報知手段が無いために、ユーザーがなぜ動作しないかが判らず、不用意に漏電している充電部へ触れる可能性がある、という課題があった。
【０００８】
本発明は、前記従来の課題を解決するもので、電源線を両切りするリレー接点を独立に制御し、接点溶着の自己診断はそれぞれ別々に行い、また異常発生時には表示ランプによってユーザーへ知らせる構成であるので、信頼性が高く、そして安全性と使い勝手の良い漏電遮断装置を提供することを目的とする。
【課題を解決するための手段】
【０００９】
前記従来の課題を解決するために、本発明の漏電遮断装置は、商用電源の各相を独立し
て開閉できる開閉装置と、商用電源の電圧検出装置と、表示装置とを備え、商用電源を供給開始する前に、前記開閉装置の故障検出を行い、前記電圧検出装置は、電源の各相ごとにそれぞれ交流電圧の有無を検出することで前記開閉装置の異常を判断し、異常判定時には前記表示装置で表示して警告する手段を備えたものである。
【００１０】
これによって、電源線を両切りしている開閉装置の一方だけが溶着故障した場合でも、確実に検出する事が出来るので、信頼性の高い漏電遮断装置を提供する事が出来るようにしたものである。さらに表示手段によりユーザーに異常を知らせることも出来るので、安全性の高い漏電遮断装置を提供することが出来る様にしたものである。
【００１１】
また、本発明の漏電遮断装置の故障検出のための電圧検出装置は、作動開始後所定時間経過後に電圧検出を行なう構成としたものである。
【００１２】
これによって、電圧検出装置での判定において、ノイズの影響を減らす事が出来たり、あるいは電源供給先に接続されたインターフェースとのマッチング上の影響を受けないようにする事が出来るようにしたものである。
【００１３】
また、本発明の漏電遮断装置は、商用電源供給終了時に、開閉装置の故障検出を行う手段を備えたものである。
【００１４】
これによって、故障判定をする機会が増えるので、故障発生をより早く検知する事が出来るようにしたものである。
【発明の効果】
【００１５】
本発明の漏電遮断装置は、商用電源の各相を独立して開閉できる開閉装置と、商用電源の電圧検出装置と、表示装置とを備え、商用電源を供給開始する前に、前記開閉装置の故障検出を行い、前記電圧検出装置は、電源の各相ごとにそれぞれ交流電圧の有無を検出することで前記開閉装置の異常を判断し、異常判定時には前記表示装置で表示して警告する構成であるので、電源線を両切りしている開閉装置の一方だけが溶着故障した場合でも、確実に検出する事が出来るので、信頼性の高い漏電遮断装置を提供する事が出来る。
【００１６】
さらに表示手段によりユーザーに異常を知らせることも出来るので、安全性の高い漏電遮断装置を提供することが出来る。
【図面の簡単な説明】
【００１７】
【図１】本発明の実施の形態１〜３における漏電遮断装置の概略構成図
【図２】従来の漏電遮断装置の概略構成図
【発明を実施するための形態】
【００１８】
第１の発明は、商用電源の各相を独立して開閉できる開閉装置と、商用電源の電圧検出装置と、表示装置とを備え、商用電源を供給開始する前に、前記開閉装置の故障検出を行い、前記電圧検出装置は、電源の各相ごとにそれぞれ交流電圧の有無を検出することで前記開閉装置の異常を判断し、異常判定時には前記表示装置で表示して警告する構成とすることで、電源線を両切している開閉装置の一方だけが溶着故障した場合でも、確実に検出する事が出来るものである。さらに表示手段によりユーザーに異常を知らせることも出来るものである。
【００１９】
第２の発明は、開閉装置の故障検出のための電圧検出装置は、作動開始後所定時間経過後に電圧検出を行なう構成とすることで、電圧検出装置での判定において、ノイズの影響を減らす事が出来たり、あるいは電源供給先に接続されたインターフェースとのマッチン
グ上の影響を受けないようにする事が出来るものである。
【００２０】
第３の発明は、商用電源供給終了時に、開閉装置の故障検出を行う構成とすることで、故障判定をする機会が増えるので、故障発生をより早く検知する事が出来るものである。
【００２１】
以下、本発明の実施の形態について、図面を参照しながら説明する。なお、本実施の形態によって本発明が限定されるものではない。
【００２２】
（実施の形態１）
図１は、本発明の第１の実施の形態における漏電遮断装置の概略構成図を示すものである。
【００２３】
図１において、商用電源１をリレー２ａとリレー２ｂにて開閉可能として、電源供給先である機器３へ供給する。リレー２ａ、リレー２ｂを制御するのは制御装置４で、リレー２ａとリレー２ｂを独立して制御を行う。リレー２ａ、リレー２ｂがＯＮすれば電圧検出装置５に商用電源電圧が通電され、交流電圧検出結果は制御装置４へ伝えられる。零相変流器６は電源線の電流の不平衡を検出し、不平衡が生じたとき、すなわち漏電発生時には電圧を検出し、漏電検出装置７にて判断して制御装置４へ信号を伝える。信号線８は、機器３と制御装置４との通信を行ない、電源供給の開始や終了の指示等を送受信する。表示装置９は制御装置４で制御され、漏電検出時に警告表示を行って、使用者へ漏電発生を知らせる。
【００２４】
以上のように構成された漏電遮断装置について、以下その動作、作用について説明する。
【００２５】
まず、機器３から制御装置４へ信号線８によって電源供給の指示を受信すると、制御装置４は、まず、リレーの自己診断を行うためにリレー２ａだけをＯＮさせる。このとき、電圧検出装置５が交流電圧有りと判断した場合は、制御装置４は、リレー２ｂが接点溶着していると判断し、リレー２ａ、リレー２ｂの両方をＯＦＦさせ、表示装置９で異常表示を行う。交流電圧なしと判断した場合は、正常と判断し、次のステップへと移る。
【００２６】
次にリレー２ｂだけをＯＮさせ、電圧検出装置５が交流電圧有りと判断した場合は、制御装置４は、リレー２ａが接点溶着していると判断し、リレー２ａ、リレー２ｂの両方をＯＦＦさせ、表示装置９で異常表示を行う。交流電圧なしと判断した場合は、正常と判断し、次のステップへと移る。
【００２７】
以上のリレー２ａ、リレー２ｂに対する自己診断が問題なければ、リレー２ａ、リレー２ｂを両方共ＯＮさせて、機器３へ電源供給を行う。
【００２８】
機器３への電源供給中に、もし、漏電が発生すれば、零相変流器６が不平衡となり、電圧が発生し、漏電検出装置７で漏電と判断し、制御装置４へ伝える。制御装置４は、直ちにリレー２ａ、リレー２ｂをＯＦＦさせて、漏電状態を停止させる。また、表示装置９にて異常表示を行う。
【００２９】
電圧検出装置５での交流電圧の検出には、整流した後の矩形波パルスの立ち下がり（又は立ち上がり）エッジを所定の時間に所定回数カウントした場合、または、所定時間に所定間隔でパルス信号のレベルを入力してＨｉとＬｏの両方が所定回数検出されたことを確認することで、交流電圧の有無を判定することができる。
【００３０】
機器３は商用電源供給の必要がなくなれば、通信線８を通じて制御装置４に情報を送り
、制御装置４はこれを受けてリレー２ａとリレー２ｂをＯＦＦさせて聞き３への電源供給を終了させる。
【００３１】
以上のように、本発明の形態では、商用電源を両切りするリレーを各相ごとに独立して制御して、外部の装置へ電源供給する前に、リレーを１個ずつ自己診断を行うことで、どちらか一方だけの溶着も検出することが可能となり、さらに異常時（溶着検出時）には表示装置で異常表示をすることによってユーザーに異常を知らせることも出来る。
【００３２】
（実施の形態２）
本発明の第２の実施の形態における漏電遮断装置の概略構成図は図１と同じであるため、説明を省略する。
【００３３】
図１に示されるように構成された漏電遮断装置について、以下その動作、作用について説明する。
【００３４】
実施の形態１と異なるところは、リレー２ａやリレー２ｂの自己診断を行う際に、まず、所定の待ち時間を設けて回路の安定を待ってから、電圧検出装置５にて交流電圧の検出を行うものである。
【００３５】
電源供給先である機器３には、ノイズ対策その他の目的により入力段にコンデンサが並列に配置されている場合があり、その放電が終わらないタイミングで自己診断が開始された場合に、リレー２ａとリレー２ｂがＯＦＦしていてそれぞれ溶着故障もしていない場合には、本来は電圧検出装置５で電圧を検出されないはずであるが、機器３からの電圧逆流により電圧検出をしてしまう事がタイミングによってはり生じてしまう場合がある。
【００３６】
電圧検出装置５にて交流電圧の検出を開始するのに待ち時間を設けることで、電源供給先である機器３の影響による誤動作を防止することができる。
【００３７】
以上のように、本発明の形態では、所定の待ち時間を設けて、機器３からの電圧逆流等の影響がなくなるようにする事が出来、実施の形態１で示した交流電圧検出をしなくても、電圧検出装置５からの出力のＨｉ信号又はＬｏ信号のみに着目して異常判定をすることが出来るので、検出時間に余裕がある場合には、より少ない部品とより簡単なソフトにて溶着検出を判定することが可能となり、より安価で量産性の高い漏電遮断装置を提供することが出来る。
【００３８】
（実施の形態３）
本発明の第３の実施の形態における漏電遮断装置の概略構成図は図１と同じであるため、説明を省略する。
【００３９】
図１に示されるように構成された漏電遮断装置について、以下その動作、作用について説明する。
【００４０】
図１において、リレー２ａおよびリレー２ｂの自己診断を、電源供給開始前だけではなく、機器３への商用電源供給が終了した後にも行うことで、自己診断の機会を増やし、リレー２溶着時に出来るだけ速やかに異常検出して、使用者に放置することが出来る。
【００４１】
以上のように、本発明の形態では、商用電源供給終了時に、開閉装置の故障検出を行うことで、故障判定をする機会が増えるので、故障発生をより早く検知する事が出来る。
【産業上の利用可能性】
【００４２】
以上のように、本発明にかかる漏電遮断装置は、商用電源の電源線の両側それぞれに独立して制御されるリレーを設けての両切りの構成にして、外部機器への電源供給の通電制御を行い、通電開始時にはリレーの自己診断をそれぞれ独立して行うため、一方のリレーだけの故障の場合でも異常検出する事が可能であり、また、異常時には警告表示を行う事で使用者への注意喚起も行う事が出来、信頼性の高い漏電遮断機を提供する事が出来る。
【００４３】
また、リレーの自己診断時に交流電圧検出を行う際に所定の待ち時間を設けて回路の安定後に異常判定を行う構成とすることで、誤動作の少ない、また、より簡単な構成で電圧検出する事が可能となる。
【００４４】
さらに、リレーの自己診断を、電源供給の終了後にも行うようにすることで、異常発生時の検出をより早くする事が出来、より信頼性の高い漏電遮断機を提供することが出来る。
【符号の説明】
【００４５】
２ａ，２ｂ  リレー（開閉装置）
５  電圧検出装置
９  表示装置
【図１】
2012152071.tif 000003
【図２】
2012152071.tif 000004